(57)【特許請求の範囲】
【請求項１】
液体、粉体、粒状体などの試供品を収納した包装袋と一体化し、この包装袋が一体となった状態で雑誌等の本の広告頁に貼り込む保護材であって、板材を打ち抜いて形成され、包装袋の周辺に略対応する外枠部分と、該外枠部分から互いに繋がらない状態で内側に突き出た複数の突出部分とを備えていることを特徴とする保護材。
【請求項２】
液体、粉体、粒状体などの試供品の入った包装袋を請求項１に記載の保護材と一体化させ、この保護材が一体となった包装袋を広告頁に貼り込んだことを特徴とする試供品付き本。
【発明の詳細な説明】
【０００１】
【発明の属する技術分野】
本発明は、液体、粉体、粒状体等の試供品を収納した包装袋からなる商品サンプルを雑誌等に添付する際に使用する保護材に関するものである。
【０００２】
【従来の技術】
従来、雑誌等で商品の広告をする場合、その宣伝効果を上げるために、包装袋入りの試供品である商品サンプルを広告頁に貼り付けることが行われている。この場合、雑誌等は印刷、製本された後でパレットなどに集積され、さらにこれが多段積みされることから、下に積まれる雑誌ほどそれに挟まれた商品サンプルに大きな荷重が掛かることになる。そこで、例えば、段ボールや合紙した板紙などを保護用紙として、これに商品サンプルの外形と略同形状の切抜き部や打抜き部を設け、それを広告頁に貼り付けるなどして固定し、切り抜いたり又は打ち抜いたりした空間部に商品サンプルを挿入して固定することにより、雑誌等からの散逸を防ぎ、且つ、積み上げによる荷重（以下、積載圧と呼ぶ）を軽減して該商品サンプルを保護する方法が採られていた。
【０００３】
【発明が解決しようとする課題】
しかしながら、このような形態では、例えば保護用紙として段ボールを用いた場合、その圧縮強度がそれ程高くないため、積載圧を軽減するためには段ボールの面積を可能な範囲で大きくする必要があり、それによって異物感が強くなると同時に、保護用紙の材料費及び加工費などのコストが嵩み、比較的安価な小袋入り試供品などの商品サンプルには適さないという問題があった。また、特に液体、粉体、粒状体などを収納した包装袋を商品サンプルとして雑誌中に添付する場合、万一、破袋が発生すると雑誌まで汚染されるため、袋自体を強化することは勿論、積載圧の軽減対策も十分な安全率をもって設計する必要があり、安易に実施することはできなかった。すなわち、保護用紙を切り抜いた又は打ち抜いた空間部のサイズがある程度大きくなると、積み上げた雑誌が自重で空間内に撓み込むため、包装袋に大きな積載圧が掛かって破袋を引き起こすからである。
【０００４】
本発明は、上記のような問題点に鑑みてなされたものであり、その目的とするところは、液体、粉体、粒状体等の試供品を収納した包装袋からなる商品サンプルを雑誌等に貼り込むに際して、破袋を引き起こす積載圧を有効に軽減することのできる保護材を提供し、併せてその保護材を使用した試供品付き本を提供することにある。
【０００５】
【課題を解決するための手段】
上記の目的を達成するため、本発明の保護材は、液体、粉体、粒状体などの試供品を収納した包装袋と一体化し、この包装袋が一体となった状態で雑誌等の本の広告頁に貼り込む保護材であって、板材を打ち抜いて形成され、包装袋の周辺に略対応する外枠部分と、該外枠部分から互いに繋がらない状態で内側に突き出た複数の突出部分とを備えたことを特徴としている。また、本発明の試供品付き本は、液体、粉体、粒状体などの試供品の入った包装袋を上記の保護材と一体化させ、この保護材が一体となった包装袋を広告頁に貼り込んだことを特徴とする。
【０００６】
保護する包装袋は中に液体、粉体、粒状体などの試供品を収納したものであるが、それに使用する袋の形態は任意である。すなわち、四方シール袋が代表的であるが、三方シール袋、ピロータイプ、ガゼットタイプ等でも構わない。また、袋の平面形状は必ずしも矩形状でなくても構わない。そして、包装袋と保護材の関係は、包装袋におけるシール部より内側の部分が外枠部分の枠内にあることが必要である。すなわち、包装袋の周辺シール部に外枠部分が重なる場合と、周辺シール部が外枠部分より内側に入った場合とがある。ただ、突出部分が包装袋におけるシール部より内側の部分にかかっていることが必要である。また、両者を一体化させるには貼る以外に挟んだりフィルム袋に入れたりしてもよい。
【０００７】
【発明の実施の形態】
以下、図面を参照しながら本発明の実施形態について説明するが、本発明はこれらに限定されるものではない。
【０００８】
図１は本発明に係る保護材の一例を示す正面図、図２は図１の保護材を包装袋と共に示す斜視図である。
【０００９】
この保護材１は板材を打ち抜いて形成されたもので、四方シールした包装袋Ｐの周辺シール部Ｐａに略対応する外枠部分１ａと、この外枠部分１ａの対向する長辺からそれぞれ３本ずつが互いに向き合うようにして内側に突き出た合計６本の突出部分１ｂとを備えている。図示の例では突出部分１ｂは等間隔で設けられている。
【００１０】
板材の素材としては、その耐圧強度が大きいものを使用するのが好ましい。例えば、プレス済みの紙や合紙（２枚合紙、３枚合紙等）、合成樹脂（プラスチックの成形品や打抜加工品）、Ａｌ蒸着などの金属層を含んだ積層体が用いられる。そして、材質、厚み、形状等は、包装袋の形状や厚みによって適宜選択すればよい。また、デザインによっては、保護材の表面に、印刷、ニス引き、糊引き、ＰＰ貼り、箔押し、エンボス加工等を施してもよい。
【００１１】
この保護材１を使用するに際しては、図２に示すように、当該保護材１と包装袋Ｐを両面テープ等により外れないように貼り合わせる。図示の例では、包装袋Ｐの長辺のシール部で貼り合わせるとよい。そして、図３に示すように、この保護材１と包装袋Ｐとが一体となったものを雑誌Ｍ等の広告頁に接着剤や粘着剤で貼り付ける。
【００１２】
上記のような形態で試供品入りの包装袋Ｐを雑誌等の中に貼り込むと、製本後に積み重ねた場合に、積載圧が保護材１の外枠部分１ａと突出部分１ｂとに掛かることになる。そして、突出部分１ｂのところでは包装袋Ｐの中身が逃げ、表裏の包材が当接した状態で荷重を受けることになり、包装袋Ｐは突出部分１ｂ以外のところで若干膨らみはするものの、中身が突出部分１ｂの間を通るので膨らみが均等に分散される。
【００１３】
このように、保護材が一体となった包装袋を本に貼り込んだ状態で載荷圧が掛かると突出部分以外のところで包装袋が膨らむので、この膨らみ部分が積載圧の影響を余り受けないように、包装袋の内容量、突出部分の数、形状及び大きさを適宜設計しておくことにより、膨らみ部分に掛かる雑誌の撓みによる押圧力を軽減することができ、したがって包装袋Ｐの破袋を防止することができる。例えば図４に示される保護材２では、外枠部分２ａの対向する長辺からそれぞれ１本の突出部分２ｂが向き合うようにして設けられている。この突出部分２ｂは一本で荷重を受けるため、図１に示すものより幅が広く形成されている。
【００１４】
【実施例】
（実施例１）
コートボール紙とチップボールを積層した厚さ２．５ｍｍの２枚合紙を打ち抜いて図１に示す保護材を作成した。ここでは保護材の外形サイズを６６×１４８ｍｍとし、短辺の外枠幅を１０ｍｍ、長辺の外枠幅を８ｍｍ、突出部分の幅を４ｍｍ、長さを１８ｍｍとした。一方、６０×１３８ｍｍの外形サイズでシール幅が５ｍｍの四方シール袋に５ｇの香水を入れた包装袋を準備した。この包装袋の包材には「ポリエステル２５μｍ／印刷インキ／ドライラミ／アルミ箔９μｍ／ドライラミ／ポリエステル１２μｍ／ポリエチレン３０μｍ／ＥＶＡ３０μｍ」からなる層構成のフィルムを使用した。そして、この包装袋と保護材を外枠部分の長辺にて両面テープで貼り合わせ、この一体となったものを雑誌（Ａ４変形判：２９７×２３５ｍｍ）の頁に貼り込んだ。
【００１５】
このようにして包装袋を貼り込んだ雑誌を１０冊重ね、平行な鉄板の間に挟んだ状態で３ｔの荷重を掛けて３日間放置する載荷テストを行ったが、包装袋は破袋しなかった。なお、雑誌協会の規定では、３ｔの荷重に耐えることが必要とされているが、実際の流通過程を考えると３ｔで３日間も荷重が掛かることは考えられないので、この試験で破袋しなければ実用上も問題はない。
【００１６】
（実施例２）
保護材の板材としてコートボール紙とチップボールを積層した厚さ２．２ｍｍの２枚合紙を使用し、実施例１と同様にして載荷テストまで行ったが、包装袋の破袋は見られなかった。
【００１７】
（実施例３）
保護材の板材として厚さ２．０ｍｍのカード紙（３枚合紙）を使用し、実施例１と同様にして載荷テストまで行ったが、包装袋の破袋は見られなかった。
【００１８】
（実施例４）
保護材の板材として厚さ０．９ｍｍのポリプロピレンシートを２枚積層したものを使用し、実施例１と同様にして載荷テストまで行ったが、包装袋の破袋は見られなかった。
【００１９】
（実施例５）
保護材の板材として厚さ１．０ｍｍのポリプロピレンシートを２枚積層したものを使用し、実施例１と同様にして載荷テストまで行ったが、包装袋の破袋は見られなかった。
【００２０】
【発明の効果】
以上説明したように、本発明の保護材を使用して試供品の入った包装袋を雑誌等の本の中に貼り込むと、これらの本を高く積み上げた場合に、保護材の外枠部分と突出部分により積載圧が受け止められ、しかも突出部分以外のところで中身が分散した状態で包装袋が膨らむので、雑誌の撓みによる押圧力が有効に受け止められることから、包装袋に掛かる積載圧を上手く軽減でき、その破袋を防止することができる。
【図面の簡単な説明】
【図１】本発明に係る保護材の一例を示す正面図である。
【図２】図１の保護材を包装袋と共に示す斜視図である。
【図３】図１の保護材を使用した試供品付き本の一例を示す斜視図である。
【図４】本発明に係る保護材の別の例を示す正面図である。
【符号の説明】
Ｐ  包装袋
Ｐａ  シール部
１  保護材
１ａ  外枠部分
１ｂ  突出部分
２  保護材
２ａ  外枠部分
２ｂ  突出部分
Ｍ  雑誌
【図１】
0003852719.tif 000002
【図２】
0003852719.tif 000003
【図３】
0003852719.tif 000004
【図４】
0003852719.tif 000005